(57)【要約】      （修正有）【課題】ＰＯＮ（Ｐａｓｓｉｖｅ  Ｏｐｔｉｃａｌ  Ｎｅｔｗｏｒｋ）システムにおいて、データ通信の中断を防ぐ。【解決手段】ＰＯＮシステム１０は、ＯＬＴ（Ｏｐｔｉｃａｌ  Ｌｉｎｅ  Ｔｅｒｍｉｎａｌ）１１とユーザ端末１３との間で通信する。ユーザ端末１３は、ＯＬＴ１１と光カプラ１２を介して冗長に接続された第１ＯＮＵ（Ｏｐｔｉｃａｌ  Ｎｅｔｗｏｒｋ  Ｕｎｉｔ）１５及び第２ＯＮＵ１６と、該２つのＯＮＵのいずれか一方をＯＬＴ１１と通信可能な運用状態とし、他方をＯＬＴ１１と通信不可能な非運用状態とする冗長化制御部とを備える。冗長化制御部は、運用状態にある一方のＯＮＵに障害が発生した場合、運用状態のＯＮＵを非運用状態とし、非運用状態にある他方のＯＮＵを運用状態に切り替える。【選択図】図１
2017038258.tif 000002
【特許請求の範囲】
【請求項１】
ＯＬＴとユーザ端末との間で通信するＰＯＮシステムであって、
前記ユーザ端末は、
前記ＯＬＴと光カプラを介して冗長に接続された２つのＯＮＵと、
前記２つのＯＮＵのいずれか一方を前記ＯＬＴと通信可能な運用状態とし、他方を前記ＯＬＴと通信不可能な非運用状態とする冗長化制御部と、
を備え、
前記冗長化制御部は、運用状態にある一方のＯＮＵに障害が発生した場合、該運用状態のＯＮＵを非運用状態とし、非運用状態にある他方のＯＮＵを運用状態に切り替えることを特徴とするＰＯＮシステム。
【請求項２】
前記２つのＯＮＵは、それぞれ、ＯＮＵを選択するための信号線およびＯＮＵの通信可能状態を通知するための信号線を介して、冗長化制御部と接続されることを特徴とする請求項１に記載のＰＯＮシステム。
【請求項３】
前記冗長化制御部は、前記２つのＯＮＵが運用状態と非運用状態のどちらであるかを前記ＯＬＴに通知することを特徴とする請求項１または２に記載のＰＯＮシステム。
【請求項４】
ＰＯＮシステムにおいてＯＬＴと通信するユーザ端末であって、
前記ＯＬＴと光カプラを介して冗長に接続された２つのＯＮＵと、
前記２つのＯＮＵのいずれか一方を前記ＯＬＴと通信可能な運用状態とし、他方を前記ＯＬＴと通信不可能な非運用状態とする冗長化制御部と、
を備え、
前記冗長化制御部は、運用状態にある一方のＯＮＵに障害が発生した場合、該運用状態のＯＮＵを非運用状態とし、非運用状態にある他方のＯＮＵを運用状態に切り替えることを特徴とするユーザ端末。
【請求項５】
前記２つのＯＮＵは、それぞれ、ＯＮＵを選択するための信号線およびＯＮＵの通信可能状態を通知するための信号線を介して、冗長化制御部と接続されることを特徴とする請求項４に記載のユーザ端末。
【請求項６】
前記冗長化制御部は、前記２つのＯＮＵが運用状態と非運用状態のどちらであるかを前記ＯＬＴに通知することを特徴とする請求項４または５に記載のユーザ端末。
【発明の詳細な説明】
【技術分野】
【０００１】
本発明は、光加入者線端局装置と複数の光加入者線終端装置との間で通信を行うＰＯＮ（Passive Optical Network）システムに関する。
【背景技術】
【０００２】
従来より、一般家庭等の加入者宅を対象とした加入者系光ファイバネットワークシステムとして、ＰＯＮシステムが知られている。このＰＯＮシステムは、通信事業者局舎に設置される光加入者線端局装置（ＯＬＴ：Optical Line Terminal）に接続された１本の光ファイバを光スプリッタにより分岐し、複数の光加入者線終端装置（ＯＮＵ：Optical Network Unit）と接続したものである。ＰＯＮシステムは、ＯＬＴとＯＮＵを１対１で接続するシングルスター型のシステムに比べ、複数のＯＮＵで１本の光ファイバを共用するため低コストな光通信ネットワークを構築できる（例えば、特許文献１参照）。
【先行技術文献】
【特許文献】
【０００３】
【特許文献１】特開２００７−１７３９０８号公報
【発明の概要】
【発明が解決しようとする課題】
【０００４】
ＰＯＮシステムでは、ＯＮＵの障害、ＯＮＵの電源断、ＯＬＴ−ＯＮＵ間の光ファイバの断線等によってデータ通信が中断してしまうという問題がある。
【０００５】
本発明はこうした状況に鑑みてなされたものであり、その目的は、ＰＯＮシステムにおいて、データ通信の中断を防ぐことのできる技術を提供することにある。
【課題を解決するための手段】
【０００６】
上記課題を解決するために、本発明のある態様のＰＯＮシステムは、ＯＬＴとユーザ端末との間で通信するＰＯＮシステムである。ユーザ端末は、ＯＬＴと光カプラを介して冗長に接続された２つのＯＮＵと、２つのＯＮＵのいずれか一方をＯＬＴと通信可能な運用状態とし、他方をＯＬＴと通信不可能な非運用状態とする冗長化制御部と、を備える。冗長化制御部は、運用状態にある一方のＯＮＵに障害が発生した場合、該運用状態のＯＮＵを非運用状態とし、非運用状態にある他方のＯＮＵを運用状態に切り替える。
【０００７】
本発明の別の態様は、ユーザ端末である。このユーザ端末は、ＰＯＮシステムにおいてＯＬＴと通信するユーザ端末であって、ＯＬＴと光カプラを介して冗長に接続された２つのＯＮＵと、２つのＯＮＵのいずれか一方をＯＬＴと通信可能な運用状態とし、他方をＯＬＴと通信不可能な非運用状態とする冗長化制御部と、を備える。冗長化制御部は、運用状態にある一方のＯＮＵに障害が発生した場合、該運用状態のＯＮＵを非運用状態とし、非運用状態にある他方のＯＮＵを運用状態に切り替える。
【０００８】
なお、以上の構成要素の任意の組合せ、本発明の表現を装置、方法、システム、プログラム、プログラムを格納した記録媒体などの間で変換したものもまた、本発明の態様として有効である。
【発明の効果】
【０００９】
本発明によれば、ＰＯＮシステムにおいて、データ通信の中断を防ぐことのできる技術を提供できる。
【図面の簡単な説明】
【００１０】
【図１】本発明の実施形態に係るＰＯＮシステムの構成を示すブロック図である。
【図２】ユーザ端末の構成を示すブロック図である。
【図３】ＯＬＴの構成を示すブロック図である。
【図４】図４（ａ）および（ｂ）は、ＯＬＴの冗長化切替部の動作を説明するためのフローチャートである。
【図５】図５（ａ）および（ｂ）は、ユーザ端末の冗長化制御部の動作を説明するためのフローチャートである。
【図６】第１ＯＮＵおよび第２ＯＮＵが起動したときの動作を説明するためのシーケンス図である。
【図７】ＯＮＵの切り替え動作を説明するためのシーケンス図である。
【図８】ＯＮＵに障害が発生したときの動作を説明するためのシーケンス図である。
【図９】本発明の別の実施形態に係るＰＯＮシステムにおいて、第１ＯＮＵおよび第２ＯＮＵが起動したときの動作を説明するためのシーケンス図である。
【図１０】ＯＮＵの切り替え動作を説明するためのシーケンス図である。
【図１１】ＯＮＵに障害が発生したときの動作を説明するためのシーケンス図である。
【図１２】本発明のさらに別の実施形態に係るＰＯＮシステムにおけるユーザ端末の構成を示すブロック図である。
【図１３】第１ＯＮＵおよび第２ＯＮＵが起動したときの動作を説明するためのシーケンス図である。
【図１４】ＯＮＵの切り替え動作を説明するためのシーケンス図である。
【図１５】ＯＮＵに障害が発生したときの動作を説明するためのシーケンス図である。
【発明を実施するための形態】
【００１１】
図１は、本発明の実施形態に係るＰＯＮシステム１０の構成を示すブロック図である。ＰＯＮシステム１０は、インターネット２１に接続された光加入者線端局装置（ＯＬＴ）１１と、ＯＬＴ１１と光ファイバ１９を介して接続された光カプラ１２と、加入者宅に設置されるユーザ端末１３と、ユーザ端末１３とＵＮＩ（User Network Interface）ケーブル２０を介して接続されたＰＣ等の端末１４を備える。ユーザ端末１３のＰＯＮ−ＩＦポート１５ａおよび１６ａは、２枚のカード型ＯＮＵ（第１ＯＮＵ１５および第２ＯＮＵ１６）を収容する。第１ＯＮＵ１５および第２ＯＮＵ１６は、光ファイバ１７および１８、光カプラ１２、光ファイバ１９を通じて共通のＯＬＴ１１と接続される。
【００１２】
図２は、ユーザ端末１３の構成を示すブロック図である。ユーザ端末１３は、ＰＯＮ−ＩＦポート１５ａおよび１６ａに収容された第１ＯＮＵ１５および第２ＯＮＵ１６と、データ処理部２２と、冗長化制御部２３と、端末制御部２４と、ＵＮＩポート２５とを備える。
【００１３】
第１ＯＮＵ１５および第２ＯＮＵ１６は、例えばＳＦＰ（Small Form Factor Pluggable）型のＯＮＵであってよい。第１ＯＮＵ１５および第２ＯＮＵ１６は、光カプラ１２を介してＯＬＴ１１と冗長に接続されている。第１ＯＮＵ１５および第２ＯＮＵ１６は、ＰＯＮ−ＩＦポート１５ａおよび１６ａを介して光ファイバ１７および１８と接続し、光カプラ１２を介して共通のＯＬＴ１１とデータの送受信を行う。また、第１ＯＮＵ１５および第２ＯＮＵ１６は、データ信号線を介して共通のユーザ端末１３のデータ処理部２２とデータの送受信を行う。
【００１４】
データ処理部２２は、ＵＮＩポート２５と接続される。ＵＮＩポート２５は、ＵＮＩケーブル２０を介して、端末１４とデータの送受信を行う。
【００１５】
冗長化制御部２３は、第１ＯＮＵ１５および第２ＯＮＵ１６のいずれか一方をＯＬＴ１１と通信可能な運用状態とし、他方をＯＬＴ１１と通信不可能な非運用状態とする。冗長化制御部２３は、運用状態にある一方のＯＮＵに障害が発生した場合、該運用状態のＯＮＵを非運用状態とし、非運用状態にある他方のＯＮＵを運用状態に切り替える。第１ＯＮＵ１５および第２ＯＮＵ１６は、ＯＮＵを選択するための信号線（ＳＥＬ）およびＯＮＵの通信可能状態を通知するための信号線（ＳＴＡＴＵＳ）を介して、冗長化制御部２３と接続される。ＳＴＡＴＵＳは、ＯＮＵがＯＬＴ１１およびユーザ端末１３のデータ処理部２２とデータ通信可能な状態となったときにハイ（すなわち「１」）となり、ＯＬＴ１１またはユーザ端末１３のデータ処理部２２のいずれかもしくは両方がデータ通信不可能な状態とったときにロー（すなわち「０」）となるように第１ＯＮＵ１５および第２ＯＮＵ１６が指定する。ＳＥＬは、第１ＯＮＵ１５を実際のデータ通信で使用するときにはロー（すなわち「０」）を指定し、第２ＯＮＵ１６を実際のデータ通信で使用するときにはハイ（すなわち「１」）を指定するようにユーザ端末１３の冗長化制御部２３が指定する。
【００１６】
図３は、ＯＬＴ１１の構成を示すブロック図である。ＯＬＴ１１は、ＳＮＩ（Service Node Interface）−ＩＦポート３０ａに収容されたＳＮＩ−ＩＦ部３０と、ＰＯＮ−ＩＦポート３１ａに収容されたＰＯＮ−ＩＦ部３１と、ユーザ端末１３と送受信した信号に所定の処理を施す信号処理部と、認証処理部３３と、冗長化切替部３４とを備える。
【００１７】
図４（ａ）および（ｂ）は、ＯＬＴ１１の冗長化切替部３４の動作を説明するためのフローチャートである。図４（ａ）に示すように、第１ＯＮＵ１５からから運用状態の通知を受信した場合（Ｓ１０）、冗長化切替部３４は、第１ＯＮＵ１５が障害発生中か否か判定する（Ｓ１１）。第１ＯＮＵ１５が障害発生中の場合（Ｓ１１のＹ）、処理を一旦終了する。一方、第１ＯＮＵ１５が通常状態の場合（Ｓ１１のＮ）、冗長化切替部３４は、第１ＯＮＵ１５が認証されているか否か判定する（Ｓ１２）。第１ＯＮＵ１５が未認証の場合（Ｓ１２のＮ）、処理を一旦終了する。一方、第１ＯＮＵ１５が認証されている場合（Ｓ１２のＹ）、冗長化切替部３４は、信号処理部３２に対し、下りデータを第１ＯＮＵ１５に送信する指示を出す（Ｓ１３）。
【００１８】
図４（ｂ）に示すように、第１ＯＮＵ１５から非運用状態の通知を受信した場合（Ｓ２０）、冗長化切替部３４は、第２ＯＮＵ１６が障害発生中か否か判定する（Ｓ２１）。第２ＯＮＵ１６が障害発生中の場合（Ｓ２１のＹ）、処理を一旦終了する。一方、第２ＯＮＵ１６が通常状態の場合（Ｓ２１のＮ）、冗長化切替部３４は、第２ＯＮＵ１６が認証されているか否か判定する（Ｓ２２）。第２ＯＮＵ１６が未認証の場合（Ｓ２２のＮ）、処理を一旦終了する。一方、第２ＯＮＵ１６が認証されている場合（Ｓ２２のＹ）、冗長化切替部３４は、信号処理部３２に対し、下りデータを第２ＯＮＵ１６に送信する指示を出す（Ｓ１３）。冗長化切替部３４は、第２ＯＮＵ１６から運用状態の通知を受信した場合も同様の動作を行う。
【００１９】
図５（ａ）および（ｂ）は、ユーザ端末１３の冗長化制御部２３の動作を説明するためのフローチャートである。図５（ａ）に示すように、第１ＯＮＵ１５のＳＴＡＴＵＳが「０」から「１」へ切り替わったとき（Ｓ３０）、冗長化制御部２３は、ＳＥＬの値を確認する（Ｓ３１）。ＳＥＬが「０」である場合、一旦処理を終了する。一方、ＳＥＬが「１」である場合、冗長化制御部２３は、第２ＯＮＵ１６のＳＴＡＴＵＳの値を確認する（Ｓ３２）。第２ＯＮＵ１６のＳＴＡＴＵＳが「１」である場合、一旦処理を終了する。一方、第２ＯＮＵ１６のＳＴＡＴＵＳが「０」である場合、冗長化制御部２３は、ＳＥＬを「０」に切り替える。
【００２０】
図５（ｂ）に示すように、第１ＯＮＵ１５のＳＴＡＴＵＳが「１」から「０」へ切り替わったとき（Ｓ４０）、冗長化制御部２３は、ＳＥＬの値を確認する（Ｓ４１）。ＳＥＬが「１」である場合、一旦処理を終了する。一方、ＳＥＬが「０」である場合、冗長化制御部２３は、第２ＯＮＵ１６のＳＴＡＴＵＳの値を確認判定する（Ｓ４２）。第２ＯＮＵ１６のＳＴＡＴＵＳが「０」である場合、一旦処理を終了する。一方、第２ＯＮＵ１６のＳＴＡＴＵＳが「１」である場合、冗長化制御部２３は、ＳＥＬを「１」に切り替える。冗長化制御部２３は、第２ＯＮＵ１６のＳＴＡＴＵＳが切り替わった場合でも同様の動作を行う。
【００２１】
図６は、第１ＯＮＵ１５および第２ＯＮＵ１６が起動したときの動作を説明するためのシーケンス図である。第１ＯＮＵ１５および第２ＯＮＵ１６が起動し、先に第１ＯＮＵ１５がＯＬＴ１１との認証を完了し、データ通信可能な状態となった場合、第１ＯＮＵ１５は、ＳＴＡＴＵＳを「０」から「１」に設定して、通信可能状態をユーザ端末１３の冗長化制御部２３へ通知する。
【００２２】
第１ＯＮＵ１５からＳＴＡＴＵＳ＝１を受けた冗長化制御部２３は、第１ＯＮＵ１５にデータ送信を選択する状態であるＳＥＬ＝０に設定する。ＳＥＬ＝０を検出した第１ＯＮＵ１５は、運用状態となり、運用状態をＯＬＴ１１へ通知し、ＯＬＴ１１およびユーザ端末１３のデータ処理部２２とデータの送受信を開始する。同時に、運用状態を通知されたＯＬＴ１１もＯＮＵに送信すべき下りデータを第１ＯＮＵ１５に送信する。
【００２３】
一方、第２ＯＮＵ１６も、ＯＬＴ１１との認証が完了し、データ疎通ができる状態となった場合、ＳＴＡＴＵＳ＝１に設定して通信可能状態を冗長化制御部２３へ通知するが、ＯＮＵを選択する信号線ＳＥＬが「０」のままであるため、非運用状態のままとなり、データをＯＬＴ１１へ送信せず破棄する。
【００２４】
図７は、ＯＮＵの切り替え動作を説明するためのシーケンス図である。ここでは、ユーザ端末１３の端末制御部２４からの切替指示で冗長化制御部２３がＳＥＬを「０」から「１」に切り替えた場合を説明する。運用状態となっていた第１ＯＮＵ１５がデータの送受信をＯＬＴ１１とユーザ端末１３との間で行っていたとき、ＳＥＬが「０」から「１」にされると、今まで運用状態でデータの送受信を行っていた第１ＯＮＵ１５は非運用状態となり、ＯＬＴ１１へ非運用状態を通知し、ＯＬＴ１１およびユーザ端末１３とデータの送受信を停止する。また、非運用状態を通知されたＯＬＴ１１も第１ＯＮＵ１５へのデータ送信を停止する。
【００２５】
一方、非運用状態だった第２ＯＮＵ１６は運用状態となり、ＯＬＴ１１へ運用状態を通知し、ＯＬＴ１１およびユーザ端末１３とデータの送受信を開始する。また、運用状態を通知されたＯＬＴ１１も第２ＯＮＵ１６へのデータ送信を開始する。
【００２６】
図８は、ＯＮＵに障害が発生したときの動作を説明するためのシーケンス図である。ここでは、データ送受信を行っていた第１ＯＮＵ１５が故障などで通信が出来なくなった場合を説明する。今まで運用状態でデータの送受信を行っていた第１ＯＮＵ１５は、非運用状態となり、ＳＴＡＴＵＳ＝０として通信不可能な状態をユーザ端末１３へ通知し、且つ、ＯＬＴ１１へ非運用状態を通知し、ＯＬＴ１１およびユーザ端末１３とデータの送受信を停止する。非運用状態を通知されたＯＬＴ１１も、第１ＯＮＵ１５へのデータ送信を停止する。
【００２７】
また、第２ＯＮＵ１６のＳＴＡＴＵＳ＝０を検出したユーザ端末１３の冗長化制御部２３は、データ通信を行うＯＮＵを選択する信号線ＳＥＬを「０」から１に切り替える。これにより、非運用状態だった第２ＯＮＵ１６は運用状態となり、ＯＬＴ１１へ運用状態を通知し、ＯＬＴ１１およびユーザ端末１３とデータの送受信を開始する。また、運用状態を通知されたＯＬＴ１１も、第２ＯＮＵ１６へのデータ送信を開始する。
【００２８】
以上説明したように、本実施形態に係るＰＯＮシステム１０によれば、第１ＯＮＵ１５および第２ＯＮＵ１６を冗長構成とし、一方のＯＮＵに障害が発生した場合に他方のＯＮＵに切替可能と構成したことにより、データ通信が中断される事態を防ぐことができ、通信システムの信頼性を向上できる。
【００２９】
次に、本発明の別の実施形態について説明する。本実施形態に係るＰＯＮシステムにおいて、図１〜図８で説明したＰＯＮシステム１０と同一または対応する構成要素には同一の符号を用いるものとし、重複する説明は適宜省略する。
【００３０】
図９は、本発明の別の実施形態に係るＰＯＮシステムにおいて、第１ＯＮＵ１５および第２ＯＮＵ１６が起動したときの動作を説明するためのシーケンス図である。ここでは、第１ＯＮＵ１５および第２ＯＮＵ１６が起動し、先に第１ＯＮＵ１５がＯＬＴ１１との認証を完了し、データ疎通ができる状態となった場合を示す。
【００３１】
第１ＯＮＵ１５が起動し、ＯＬＴ１１と認証を行うとき、通常のデータ送信に使用するＬＬＩＤ（Logical Link ID）＝Ａのほかに、ＯＬＴ１１からＯＮＵへデータ送信を行うためのＬＬＩＤ＝ＸをＯＬＴ１１から取得し、認証を完了させる。これにより、第１ＯＮＵ１５はデータ通信可能な状態となり、ＳＴＡＴＵＳ＝１として通信可能状態をユーザ端末１３へ通知する。ユーザ端末１３の冗長化制御部２３は、第１ＯＮＵ１５に対し、データ送信を選択する状態であるＳＥＬ＝０に設定する。ＳＥＬ＝０を検出した第１ＯＮＵ１５は、運用状態となり、ＯＬＴ１１およびユーザ端末１３とデータの送受信を始めるが、ＯＬＴ１１はＯＮＵへのデータ疎通はＬＬＩＤ＝Ｘを使い、第１ＯＮＵ１５はＬＬＩＤ＝Ｘで送信されたデータをユーザ端末１３へ送信する。
【００３２】
一方、第２ＯＮＵ１６についても通常のデータ送信に使用するＬＬＩＤ＝Ｂの他に、ＯＬＴ１１からＯＮＵへデータ送信を行うためのＬＬＩＤを第１ＯＮＵ１５と同じ値ＬＬＩＤ＝ＸとしてＯＬＴ１１から取得し、認証を完了させる。ＯＬＴ１１との認証が完了し、データ疎通ができる状態となった場合、ＳＴＡＴＵＳ＝１として通信可能状態をユーザ端末１３へ通知するが、ＯＮＵを選択する信号線ＳＥＬ＝０のままであるため、データをＯＬＴ１１へ送信せず破棄する。また、ＯＬＴ１１からＯＮＵへ送信されるＬＬＩＤ＝Ｘのデータは、第２ＯＮＵ１６では破棄する。
【００３３】
図１０は、ＯＮＵの切り替え動作を説明するためのシーケンス図である。ここでは、ユーザ端末１３の端末制御部２４からの切替指示で冗長化制御部２３がＳＥＬを「０」から「１」に切り替えた場合を説明する。第１ＯＮＵ１５がデータ疎通をＯＬＴ１１およびユーザ端末１３間で行っていたとき、ＳＥＬを「０」から「１」にした場合、今まで運用状態でデータの送受信を行っていた第１ＯＮＵ１５は、ユーザ端末１３から送信されたデータ、および、ＯＬＴ１１から送信されたＬＬＩＤ＝Ｘのデータも破棄する。
【００３４】
一方、第２ＯＮＵ１６は、ＯＬＴ１１およびユーザ端末１３とデータの送受信を開始し、ユーザ端末１３から送信されたデータをＯＬＴ１１へ送信し、且つ、ＯＬＴ１１から送信されたＬＬＩＤ＝Ｘのデータを受信し、ユーザ端末１３へデータを送信する。
【００３５】
図１１は、ＯＮＵに障害が発生したときの動作を説明するためのシーケンス図である。ここでは、データ送受信を行っていた第１ＯＮＵ１５が故障などで通信が出来なくなった場合を説明する。今まで運用状態でデータの送受信を行っていた第１ＯＮＵ１５は、ユーザ端末１３にＳＴＡＴＵＳ＝０として通信不可能な状態をユーザ端末１３へ通知し、且つ、ＯＬＴ１１およびユーザ端末１３とデータの送受信を停止する。第２ＯＮＵ１６のＳＴＡＴＵＳ＝０を検出したユーザ端末１３の冗長化制御部２３は、データ通信を行うＯＮＵを選択する信号線ＳＥＬを「０」から「１」に切り替える。今まで運用状態でデータの送受信を行っていた第１ＯＮＵ１５は、ユーザ端末１３から送信されたデータ、および、ＯＬＴ１１から送信されたＬＬＩＤ＝Ｘのデータも破棄する。
【００３６】
一方、第２ＯＮＵ１６は、ＯＬＴ１１およびユーザ端末１３とデータの送受信を開始し、ユーザ端末１３から送信されたデータをＯＬＴ１１へ送信し、且つ、ＯＬＴ１１から送信されたＬＬＩＤ＝Ｘのデータを受信し、ユーザ端末１３へデータを送信する。
【００３７】
以上説明したように、本実施形態に係るＰＯＮシステムにおいても、第１ＯＮＵ１５および第２ＯＮＵ１６を冗長構成とし、一方のＯＮＵに障害が発生した場合に他方のＯＮＵに切替可能と構成したことにより、データ通信が中断される事態を防ぐことができ、通信システムの信頼性を向上できる。
【００３８】
次に、本発明のさらに別の実施形態について説明する。本実施形態に係るＰＯＮシステムにおいて、図１〜図８で説明したＰＯＮシステム１０と同一または対応する構成要素には同一の符号を用いるものとし、重複する説明は適宜省略する。
【００３９】
図１２は、本実施形態に係るＰＯＮシステムにおけるユーザ端末１３の構成を示すブロック図である。図１２に示すユーザ端末１３は、第１ＯＮＵ１５および第２ＯＮＵ１６と端末制御部２４とがＭＡＣアドレスを読み出すための信号線（ＭＡＣ）を介して接続されている点が、図２に示すユーザ端末と異なる。第１ＯＮＵ１５および第２ＯＮＵ１６は、起動の際に、ＭＡＣ信号線を介して、ユーザ端末１３の端末制御部２４からＭＡＣアドレスを読み出す。
【００４０】
図１３は、第１ＯＮＵ１５および第２ＯＮＵ１６が起動したときの動作を説明するためのシーケンス図である。ここでは、第１ＯＮＵ１５および第２ＯＮＵ１６が起動し、先に第１ＯＮＵ１５がＯＬＴ１１との認証を完了し、データ通信可能な状態となった場合を示す。
【００４１】
第１ＯＮＵ１５が起動したとき、ＭＡＣよりユーザ端末１３のＭＡＣアドレスを読み出す。第１ＯＮＵ１５は、ＳＴＡＴＵＳ＝１として起動完了をユーザ端末１３へ通知する。ユーザ端末１３からＳＥＬを読み出し、ＳＥＬ＝０であれば、第１ＯＮＵ１５はＯＬＴ１１と認証を行う。認証が完了すると、第１ＯＮＵ１５はＯＬＴ１１およびユーザ端末１３とデータの送受信を開始する。
【００４２】
一方、第２ＯＮＵ１６も、起動したときＭＡＣよりユーザ端末１３のＭＡＣアドレスを読み出す。第２ＯＮＵ１６は、ＳＴＡＴＵＳ＝１として起動完了をユーザ端末１３へ通知する。ユーザ端末１３からＳＥＬを読み出し、ＳＥＬ＝０が読み出されたため、第２ＯＮＵ１６は待機状態としてＯＬＴ１１と接続せず待機する。
【００４３】
図１４は、ＯＮＵの切り替え動作を説明するためのシーケンス図である。ここでは、ユーザ端末１３の端末制御部２４からの切替指示で冗長化制御部２３がＳＥＬを「０」から「１」に切り替えた場合を説明する。第１ＯＮＵ１５がデータ疎通をＯＬＴ１１およびユーザ端末１３間で行っていたとき、ＳＥＬを「０」から「１」にした場合、認証状態を解除し、ＯＬＴ１１との光接続を切断し待機状態になる。一方、第２ＯＮＵ１６は、待機状態を解除し、ＯＬＴ１１と認証を行う。第２ＯＮＵ１６は、認証が完了したらＯＬＴ１１およびユーザ端末１３とデータの送受信を開始する。
【００４４】
図１５は、ＯＮＵに障害が発生したときの動作を説明するためのシーケンス図である。ここでは、データ送受信を行っていた第１ＯＮＵ１５が故障などで通信が出来なくなった場合を説明する。
【００４５】
今まで運用状態でデータの送受信を行っていた第１ＯＮＵ１５は、ユーザ端末１３にＳＴＡＴＵＳ＝０として通信不可能な状態を通知し、且つ、ＯＬＴ１１およびユーザ端末１３とデータの送受信を停止する。第１ＯＮＵ１５のＳＴＡＴＵＳ＝０を検出したユーザ端末１３の冗長化制御部２３は、データ通信を行うＯＮＵを選択するＳＥＬを「０」から「１」に切り替える。第１ＯＮＵ１５は認証状態を解除し、ＯＬＴ１１との光接続を切断して待機状態になる。一方、第２ＯＮＵ１６は、待機状態を解除し、ＯＬＴ１１と認証を行う。第２ＯＮＵ１６は、ＯＬＴ１１との認証が完了後、ＯＬＴ１１およびユーザ端末１３とデータの送受信を開始する。
【００４６】
以上説明したように、本実施形態に係るＰＯＮシステムにおいても、第１ＯＮＵ１５および第２ＯＮＵ１６を冗長構成とし、一方のＯＮＵに障害が発生した場合に他方のＯＮＵに切替可能と構成したことにより、データ通信が中断される事態を防ぐことができ、通信システムの信頼性を向上できる。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００４８】
１０  ＰＯＮシステム、  １１  ＯＬＴ、  １２  光カプラ、  １３  ユーザ端末、  １５  第１ＯＮＵ、  １６  第２ＯＮＵ、  １９  光ファイバ、  ２０  ＵＮＩケーブル、  ２２  データ処理部、  ２３  冗長化制御部、  ２４  端末制御部、  ２５  ＵＮＩポート、  ３０  ＳＮＩ−ＩＦ部、  ３１  ＰＯＮ−ＩＦ部、  ３２  信号処理部、  ３４  冗長化切替部。
【図１】
2017038258.tif 000003
【図２】
2017038258.tif 000004
【図３】
2017038258.tif 000005
【図４】
2017038258.tif 000006
【図５】
2017038258.tif 000007
【図６】
2017038258.tif 000008
【図７】
2017038258.tif 000009
【図８】
2017038258.tif 000010
【図９】
2017038258.tif 000011
【図１０】
2017038258.tif 000012
【図１１】
2017038258.tif 000013
【図１２】
2017038258.tif 000014
【図１３】
2017038258.tif 000015
【図１４】
2017038258.tif 000016
【図１５】
2017038258.tif 000017